(57)【要約】【課題】パルスノイズの除去性能を高める。【解決手段】受信信号中のパルスノイズを検出してパルスノイズを低減するＡＭ／ＦＭ受信機であって、受信対象局に周波数で隣接する隣接局の受信信号レベルと受信対象局の受信信号レベルとのレベル差に基づいて複数のノイズ除去手段のうちの一つを選択するための選択信号を出力するノイズ除去手法選択部３１と、受信信号の検波信号に対して、複数のそれぞれ処理の異なるノイズ除去手段によるノイズ除去をそれぞれ行うノイズゲート３３、３４と、ノイズ除去手法選択部３１が出力する選択信号によってノイズゲート３３、３４から一つのノイズ除去手段を選択して出力信号を得るノイズ除去結果切り替え部３２と、を備える。【選択図】図１
2012191337.tif 000002
【特許請求の範囲】
【請求項１】
受信信号中のパルスノイズを検出してパルスノイズを低減するＡＭ／ＦＭ受信機であって、
受信対象局に周波数で隣接する隣接局の受信信号レベルと前記受信対象局の受信信号レベルとのレベル差に基づいて複数のノイズ除去手段のうちの一つを選択するための選択信号を出力するノイズ除去手法選択部と、
前記受信信号の検波信号に対して、複数のそれぞれ処理の異なる前記ノイズ除去手段によるノイズ除去をそれぞれ行うノイズゲート群と、
前記ノイズ除去手法選択部が出力する前記選択信号によって前記ノイズゲート群から一つの前記ノイズ除去手段を選択して出力信号を得るノイズ除去結果切り替え部と、
を備えることを特徴とするＡＭ／ＦＭ受信機。
【請求項２】
前記複数のノイズ除去手段は、ノイズ除去の対象となるノイズ除去期間を拡大する機能を有することを特徴とする請求項１記載のＡＭ／ＦＭ受信機。
【請求項３】
前記複数のノイズ除去手段の一つは、前記ノイズ除去期間の始点および終点における信号レベルを直線補間して補間信号を前記ノイズ除去期間において出力する機能を有することを特徴とする請求項２記載のＡＭ／ＦＭ受信機。
【請求項４】
前記複数のノイズ除去手段の他の一つは、前記ノイズ除去期間の始点における信号レベルを前記ノイズ除去期間に亘って保持して出力する機能を有することを特徴とする請求項３記載のＡＭ／ＦＭ受信機。
【請求項５】
前記ノイズ除去結果切り替え部の出力信号に対して、高域を除去しない信号と、前記高域を抑制した信号とを、前記隣接局の受信信号レベルに応じた比率で加算処理して出力する高域処理部をさらに備えることを特徴とする請求項３または４記載のＡＭ／ＦＭ受信機。
【請求項６】
ＡＭ／ＦＭ受信機が受信信号中のパルスノイズを検出してノイズを低減する方法であって、
受信対象局に周波数で隣接する隣接局の受信信号レベルと前記受信対象局の受信信号レベルとのレベル差を比較するステップと、
前記受信信号の検波信号に対して、複数のそれぞれ処理の異なるノイズ除去手段によるノイズ除去をそれぞれ行うステップと、
前記複数のノイズ除去手段のうちの一つを前記レベル差に基づいて選択するステップと、
前記受信信号の検波信号に対して前記選択されたノイズ除去手段を介して出力信号を得るステップと、
を含むことを特徴とするノイズ除去処理方法。
【請求項７】
前記出力信号に対して、高域を除去しない信号と、前記高域を抑制した信号とを、前記隣接局の受信信号レベルに応じた比率で加算処理して出力するステップをさらに含むことを特徴とする請求項６記載のノイズ除去処理方法。
【発明の詳細な説明】
【技術分野】
【０００１】
本発明は、ＡＭ／ＦＭ受信機に関し、特に受信時におけるパルスノイズの低減技術に関する。
【背景技術】
【０００２】
近年、ディジタル信号処理によるＡＭ／ＦＭ受信機の普及に伴い、製品が搭載される頻度の高い車輌内においてイグニッションノイズ、ドアミラー開閉ノイズ、ワイパーモータノイズ（動作ノイズ）等のパルス状に印加されたノイズが、外乱として復調出力（検波後出力）に含まれる場合が増えている。この場合、聴取する信号がパルスノイズによって乱されるため、パルスノイズを除去する能力を向上させる技術への要求が高まっている。
【０００３】
図８は、特許文献１に記載のＦＭ受信機の構成を示すブロック図である。図８において、ＦＭ受信機は、ＩＦ Ｆｉｌｔｅｒ（中間周波数フィルタ）１１と、ＡＧＣ（Ａｕｔｏｍａｔｉｃ  Ｇａｉｎ  Ｃｏｎｔｒｏｌｌｅｒ）１２１と適応等価器１２２で構成されるＭＰＣ（マルチパスキャンセラ）１２と、ＭＰＣ１２とＩＦ Ｆｉｌｔｅｒ１１の出力を切り替えるスイッチ１４と、Ｈｉｌｂｅｒｔ変換部１５１とＡｒｃＴａｎ演算部１５２で構成されるＦＭＤＥＴ（検波器）１５と、ＶＡＲ（検波直前包絡線分散検出部）１６と、ＡＤＪ／ＡＬＴ（隣接局検出部）１７と、Ｓ-ｍｅｔｅｒ（シグナルメータ、電界強度検出部）１８と、適応等価器（Ｃｏｎｔｒｏｌ Ｓｅｑｕｅｎｃｅｒ）１９と、ＤＩＰ（ＩＦ信号凹み検出部）２０と、１９Ｋ  ＡＭ  Ｍｏｄ（包絡線うねり検出部）２１と、Ｓｔｅｒｅｏ（ステレオデコーダ）２３と、ＵＳＮ（超音波成分検出部）２４と、ＤＥＶ（過変調検出部）２５と、を備える。さらに、ＦＭ受信機は、ＰＮ（パルスノイズ検出部）２６と、ノイズ除去部２２と、遅延量制御部１３とを備える。
【０００４】
中間周波数フィルタ１１は、受信信号のうち、所定の帯域における周波数を選択的に通す。マルチパスキャンセラ１２は、中間周波数フィルタ１１から出力される受信信号からマルチパスの影響を除去するための適応等化器１２２を有する。検波器１５は、マルチパスキャンセラ１２からの受信信号を検波する。パルスノイズ検出部２６は、検波器１５が出力する検波信号からノイズを検出して対応する制御信号を生成する。ノイズ除去部２２は、制御信号に応じて、検波器１５が出力する検波信号からノイズを除去する。遅延量制御部１３は、適応等化器１２２の遅延量に応じて、ノイズ除去部２２の動作タイミングを、パルスノイズ検出部２６を介して制御する。
【０００５】
センタータップ位置検出部１３１は、適応等化器１２２に入力される各係数から、センタータップに対応する最大の係数を見つけ出し、その位置と大きさから遅延量を算出する。この算出された遅延量に基づいて、ノイズ除去部２２をイネーブルするためのゲート信号のタイミングを調整することで、ノイズ除去部２２を有効に動作させることが可能となる。
【０００６】
なお、関連して、特許文献２、３には、中間周波数信号に対する制御によってノイズを低減する技術が開示されている。
【先行技術文献】
【特許文献】
【０００７】
【特許文献１】特開２０１０−０９３６９５号公報
【特許文献２】特開平０８−３０７２８９号公報
【特許文献３】特開２０１０−０９８４１３号公報
【発明の概要】
【発明が解決しようとする課題】
【０００８】
以下の分析は本発明において与えられる。
【０００９】
特許文献１に記載のＦＭ受信機は、希望局の近傍の隣接局が希望局と同レベルの強度で存在する場合にＦＭ受信機の出力（復調信号）が隣接局の妨害を受け、ひずみが大きくなる。あるいは、近傍局の内容が混ざった隣接局妨害を受けた復調信号のため、ノイズ除去区間を２点補間した場合に開始点、終了点の両方または、いずれかが隣接局の影響を受ける。このため、隣接局による妨害がある場合、ノイズ除去（ノイズキャンセラ）処理を行ったにもかかわらず、ノイズを十分低減することができない場合が生じる。
【００１０】
次に、このような場合の一例を説明する。図９、図１０は、図８のＩＦ Ｆｉｌｔｅｒ（中間周波数フィルタ）１１に対してＦＭ無変調信号が入力され、２ｍｓｅｃ間隔でパルスノイズが混入し、２００ｋＨｚの隣接局の妨害を受けた場合のノイズ除去を行う前の復調出力とノイズ除去を行った後の復調出力の波形を示す図である。図９、図１０において、縦軸は、出力信号の振幅の大きさを示し、ＦＭ１００％変調の信号を復調した場合、振幅の最大値が±０．２５となるよう正規化され、横軸は復調信号の出力時間を示す。ここでは、２２５ｍｓｅｃから２３０ｍｓｅｃまでの５ｍｓｅｃ期間の復調出力を示している。
【００１１】
図９（ａ）は、隣接局が無い場合の復調出力である。ＦＭ無変調信号の復調出力であるため、パルスノイズの影響が無い場合、振幅の無い０付近の出力となる。ここでは、上記のパルスノイズが付加されたため、復調出力は、２ｍｓｅｃ間隔で混入したパルスノイズの影響で、２ｍｓｅｃ間隔に三角状の振幅のノイズが混入していることが示される。
【００１２】
図９（ｂ）は、図９（ａ）と同じ入力条件でパルスノイズを従来のノイズ除去手法で除去した結果である。図９（ａ）で記載されていた２ｍｓｅｃ間隔の三角状の振幅が直線補間処理によって除去されていることが示される。
【００１３】
図１０（ａ）は、図９（ａ）と同じパルスノイズ混入かつ、希望局と隣接局の信号レベルが近接している場合の復調出力である。図９（ａ）と同様に２ｍｓｅｃ間隔で復調出力に三角状の振幅を有するノイズが示されるが、パルスの幅は、隣接局の信号レベルによって図９（ａ）の約２倍程度に広がっている。
【００１４】
図１０（ｂ）は、図１０（ａ）と同じ入力条件で、パルスノイズを従来のノイズ除去手法で除去した結果である。前述のとおり従来のパルスノイズ除去手法は、図９（ａ）の三角状の振幅を有するノイズを除去する目的で構成されており、除去時間は、三角状の振幅期間で固定されている。したがって、ノイズの幅が広がっている三角状の振幅を有するノイズの除去が難しいことが示される。
【課題を解決するための手段】
【００１５】
本発明の１つのアスペクト（側面）に係るＡＭ／ＦＭ受信機は、受信信号中のパルスノイズを検出してパルスノイズを低減するＡＭ／ＦＭ受信機であって、受信対象局に周波数で隣接する隣接局の受信信号レベルと受信対象局の受信信号レベルとのレベル差に基づいて複数のノイズ除去手段のうちの一つを選択するための選択信号を出力するノイズ除去手法選択部と、受信信号の検波信号に対して、複数のそれぞれ処理の異なるノイズ除去手段によるノイズ除去をそれぞれ行うノイズゲート群と、ノイズ除去手法選択部が出力する選択信号によってノイズゲート群から一つのノイズ除去手段を選択して出力信号を得るノイズ除去結果切り替え部と、を備える。
【００１６】
本発明の他のアスペクト（側面）に係るＡＭ／ＦＭ受信機のノイズ低減方法は、ＡＭ／ＦＭ受信機が受信信号中のパルスノイズを検出してノイズを低減する方法であって、受信対象局に周波数で隣接する隣接局の受信信号レベルと受信対象局の受信信号レベルとのレベル差を比較するステップと、受信信号の検波信号に対して、複数のそれぞれ処理の異なるノイズ除去手段によるノイズ除去をそれぞれ行うステップと、複数のノイズ除去手段のうちの一つをレベル差に基づいて選択するステップと、受信信号の検波信号に対して選択されたノイズ除去手段を介して出力信号を得るステップと、を含む。
【発明の効果】
【００１７】
本発明によれば、隣接局妨害によるパルスノイズを除去する複数のノイズ除去手法を、隣接局の信号レベルを基に選択するため、パルスノイズの除去性能を高めることができる。
【図面の簡単な説明】
【００１８】
【図１】本発明の第１の実施例に係るＦＭ受信機の構成を示すブロック図である。
【図２】本発明の第１の実施例のパルスノイズ除去部の動作を表すフローチャートである。
【図３】本発明の第１の実施例のパルスノイズ除去部におけるノイズ除去方式の組み合わせの例を示す図である。
【図４】本発明の第１の実施例のパルスノイズ除去部によってノイズが低減された波形の例を示す図である。
【図５】本発明の第２の実施例に係るＦＭ受信機の構成を示すブロック図である。
【図６】本発明の第２の実施例のパルスノイズ除去部の動作を表すフローチャートである。
【図７】本発明の第２の実施例のパルスノイズ除去部におけるノイズ除去方式の組み合わせの例を示す図である。
【図８】従来のＦＭ受信機の構成を示すブロック図である。
【図９】従来のＦＭ受信機におけるノイズ除去処理によってノイズ低減された波形を示す図である。
【図１０】従来のＦＭ受信機におけるノイズ除去処理によってノイズ低減が不十分である波形を示す図である。
【発明を実施するための形態】
【００１９】
以下、本発明を実施するための形態について、概説する。なお、以下の概説に付記した図面参照符号は、専ら理解を助けるための例示であり、図示の態様に限定することを意図するものではない。
【００２０】
本発明の一実施形態に係るＡＭ／ＦＭ受信機は、受信信号中のパルスノイズを検出してパルスノイズを低減するＡＭ／ＦＭ受信機であって、受信対象局に周波数で隣接する隣接局の受信信号レベルと受信対象局の受信信号レベルとのレベル差に基づいて複数のノイズ除去手段のうちの一つを選択するための選択信号を出力するノイズ除去手法選択部（図１の３１）と、受信信号の検波信号に対して、複数のそれぞれ処理の異なるノイズ除去手段によるノイズ除去をそれぞれ行うノイズゲート群（図１の３３、３４）と、ノイズ除去手法選択部が出力する選択信号によってノイズゲート群から一つのノイズ除去手段を選択して出力信号を得るノイズ除去結果切り替え部（図１の３２）と、を備える。
【００２１】
ＡＭ／ＦＭ受信機において、複数のノイズ除去手段は、ノイズ除去の対象となるノイズ除去期間を拡大する機能を有することが好ましい。
【００２２】
ＡＭ／ＦＭ受信機において、複数のノイズ除去手段（図１の３３に相当）の一つは、ノイズ除去期間の始点および終点における信号レベルを直線補間して補間信号をノイズ除去期間において出力する機能を有することが好ましい。
【００２３】
ＡＭ／ＦＭ受信機において、複数のノイズ除去手段の他の一つ（図１の３４に相当）は、ノイズ除去期間の始点における信号レベルをノイズ除去期間に亘って保持して出力する機能を有することが好ましい。
【００２４】
ＡＭ／ＦＭ受信機において、ノイズ除去結果切り替え部の出力信号に対して、高域を除去しない信号と、高域を抑制した信号とを、隣接局の受信信号レベルに応じた比率で加算処理して出力する高域処理部（図５の３５に相当）をさらに備えるようにしてもよい。
【００２５】
以上のようなＡＭ／ＦＭ受信機によれば、隣接局のレベル検出処理と複数のノイズ除去方式との組合せによって、検出されたレベルからノイズ除去処理の種類を選択し、復調信号に隣接局妨害の影響があっても、ノイズ除去効果を向上させることができる。
【００２６】
以下、実施例に即し、図面を参照して詳しく説明する。
【実施例１】
【００２７】
図１は、本発明の第１の実施例に係るＦＭ受信機の構成を示すブロック図である。図１において、図８と同一の符号は、同一物を表し、その説明を省略し、本発明に係る主要部のみについて説明する。本実施例のＦＭ受信機は、図８のノイズ除去部２２、パルスノイズ検出部２６、遅延量制御部１３に替えてパルスノイズ除去部３０およびパルスノイズ検出部２６ａを備える。パルスノイズ除去部３０は、ノイズ除去手法選択部３１、ノイズ除去結果切り替え部３２、ノイズゲート３３、３４で構成される。
【００２８】
ノイズゲート３３、３４は、ＦＭＤＥＴ（検波器）１５が出力する検波信号に対してそれぞれ異なるノイズ除去処理を行うブロックであって、例えば、前値補間、直線補間、ゼロ挿入、フィルタによる帯域制限等によってパルスノイズ除去を行う。ノイズ除去手法選択部３１は、ＡＤＪ／ＡＬＴ（隣接局検出部）１７から出力される隣接局の信号レベルを基に、上記の複数のノイズ処理から最適な１つの処理方法を選択するための信号をノイズ除去結果切り替え部３２、ノイズゲート３３、３４に出力する。パルスノイズ検出部２６ａは、ＦＭＤＥＴ（検波器）１５が出力する検波信号およびＤＩＰ（ＩＦ信号凹み検出部）２０が出力する信号に基づいてノイズゲート３３、３４の動作タイミング、すなわちノイズ除去区間を設定する。ノイズ除去結果切り替え３２は、ノイズ除去手法選択部３１の処理結果に応じて、ノイズゲート３３、３４から出力されるノイズ処理された信号の切り替えを行うスイッチ機能を有し、ノイズが低減された信号をＳｔｅｒｅｏ（ステレオデコーダ）２３に出力する。
【００２９】
次に、本発明の主要部であるパルスノイズ検出部２６ａおよびパルスノイズ除去部３０の動作について説明する。図２は、本発明の第１の実施例のパルスノイズ除去部の動作を表すフローチャートである。
【００３０】
図３は、図２のフローチャートにおいてノイズの判定とノイズ除去方式の組み合わせの具体的な例を示す図である。図３において、縦軸は検出された隣接局の種類を表し、横軸は検出された隣接局とのレベル差および対応したノイズ除去方式を表す。そして、縦軸および横軸の内容に対応して、ノイズ除去手法選択部３１で使用する処理判断に使用する閾値と、ノイズゲート３３、３４で使用する直線補間、前置補間等のノイズ除去方式の具体名で判定する組み合わせが例示される。
【００３１】
図２において、最初にＡＤＪ／ＡＬＴ（隣接局検出部）１７は、受信対象局（希望局）の信号レベルと、隣接局の信号レベルを測定する（ステップＳ１０１）。
【００３２】
ノイズ除去手法選択部３１は、隣接局のうちレベルの大きい局を判断し（ステップＳ１０２）、レベルの大きい局が希望局周波数より高い周波数を持つ局の場合はステップＳ１０３に進み、希望局周波数より低い周波数を持つ局の場合はステップＳ１０５に進む。
【００３３】
レベルの大きい局が希望局周波数より高い周波数を持つ局である場合と判断された場合（ステップＳ１０２のＹＥＳ）、希望局レベルと隣接局レベルを比較し（ステップＳ１０３）、希望局の信号レベルに対して隣接局の信号レベルが閾値１以上大きい場合（ステップＳ１０３のＹＥＳ）、ノイズ除去結果切り替え３２は、ノイズゲート３４で拡張したノイズ除去区間において前値保持する手法（前値補間）を選択して処理を終了する（ステップＳ１０４）。
【００３４】
ステップＳ１０３において、希望局の信号レベルに対して隣接局の信号レベルが閾値１より小さい場合（ステップＳ１０３のＮＯ）、希望局の信号レベルと隣接局の信号レベルが近接しているかを閾値２を用いて判断する（ステップＳ１１０）。
【００３５】
隣接局の信号レベルが近接していると判断された場合（ステップＳ１１０のＹＥＳ）、ノイズ除去結果切り替え３２は、ノイズゲート３３でノイズ除去区間を２倍に拡張した上で直線補間する手法を選択して処理を終了する（ステップＳ１１１）。
【００３６】
ステップＳ１１０において、希望局の信号レベルと隣接局の信号レベルが近接していないと判断された場合（ステップＳ１１０のＮＯ）、希望局の信号レベルに対して隣接局の信号レベルが小さいことを表し、ノイズ除去結果切り替え３２は、ノイズゲート３３でノイズ除去区間において直線補間する手法を選択して処理を終了する（ステップＳ１１２）。
【００３７】
また、隣接局が希望局周波数より低い周波数を持つ局であると判断された場合（ステップＳ１０２のＮＯ）、希望局レベルと隣接局レベルを比較する（ステップＳ１０５）。
【００３８】
希望局の信号レベルに対して隣接局の信号レベルが閾値１以上大きい場合（ステップＳ１０５のＹＥＳ）、ノイズ除去結果切り替え３２は、ノイズゲート３４で拡張したノイズ除去区間において前値保持する手法（前値補間）を選択して処理を終了する（ステップＳ１０６）。
【００３９】
ステップＳ１０５において、希望局の信号レベルに対して隣接局の信号レベルが閾値１より小さい場合（ステップＳ１０５のＮＯ）、希望局の信号レベルと隣接局の信号レベルが近接しているかを閾値２を用いて判断する（ステップＳ１０７）。
【００４０】
隣接局の信号レベルが近接していると判断された場合（ステップＳ１０７のＹＥＳ）、ノイズ除去結果切り替え３２は、ノイズゲート３３でノイズ除去区間を２倍に拡張した上で直線補間する手法を選択して処理を終了する（ステップＳ１０８）。
【００４１】
ステップＳ１０７において、希望局の信号レベルと隣接局の信号レベルが近接していないと判断された場合（ステップＳ１０７のＮＯ）、希望局の信号レベルに対して隣接局の信号レベルが小さいことを表し、ノイズ除去結果切り替え３２は、ノイズゲート３３でノイズ除去区間において直線補間する手法を選択して処理を終了する（ステップＳ１０９）。
【００４２】
次に、以上のように動作するＦＭ受信機におけるノイズ低減の効果について説明する。図４は、パルスノイズ除去部３０によってノイズ低減された波形の例を示す図である。前述の処理フローチャートにより選択されたノイズ除去手法で、図１０（ａ）と同じ入力条件のパルスノイズを除去した結果である。
【００４３】
図２のフローチャートにおいて、ステップＳ１０１の判断として、２００ｋＨｚ隣接局が選択される。次に、ステップＳ１０２により、隣接局のうちレベルの大きい局が、希望局周波数より高い周波数を持つ局であるため、ステップＳ１０３に進む。ステップＳ１０１で２００ｋＨｚ隣接局が選択されているため、ステップＳ１０３の判断処理の閾値は、図３における＋６ｄＢ以上が選択されるが、ステップＳ１０３の判断条件を満たさないため、ステップＳ１１０に進む。
【００４４】
ここで、ステップＳ１１０の判断処理の閾値は、ステップＳ１０１で２００ｋＨｚ隣接局が選択されているため、＋６ｄＢ〜−６ｄＢが選択されている。これは図１０（ａ）の入力条件と一致するため、ノイズ除去手法としてステップＳ１１１が実行される。ステップＳ１１１は、図３においてノイズ除去区間を２倍にした直線補間方式であり、従来のノイズ除去手法で除去できなかったパルスの幅の広がった三角状のノイズが除去されることが示される。
【実施例２】
【００４５】
図５は、本発明の第２の実施例に係るＦＭ受信機の構成を示すブロック図である。図５において、図１と同一の符号は同一物を表し、その説明を省略する。本実施例のＦＭ受信機は、実施例１に対して隣接局レベルにより選択されるノイズ除去手法を複数適用する例である。
【００４６】
図５のＦＭ受信機は、図１のパルスノイズ除去部３０に替えてパルスノイズ除去部３０ａを備える。パルスノイズ除去部３０ａは、パルスノイズ除去部３０に、ブレンド処理信号作成部３６と、高域抑圧処理部３７と、ブレンド処理部３８とからなるノイズゲート３５（高域処理部に相当する）を追加して備える。
【００４７】
高域抑圧処理部３７は、Ｓｔｅｒｅｏ（ステレオデコーダ）２３の出力信号の高域を除去するＬＰＦ（ローパスフィルタ）である。ブレンド処理信号作成部３６は、ノイズ除去手法選択部３１が出力する隣接局の信号レベルに応じて、高域を除去していない信号と、高域抑圧処理部３７で処理された高域を抑圧された信号とを加算する比率を算出しブレンド処理部３８に出力する。ブレンド処理部３８は、高域を除去していない出力信号と、高域抑圧処理部３７で処理された高域を抑圧された信号とを、ブレンド処理信号作成部３６で算出した比率で加算処理して出力する。
【００４８】
次に、本発明の主要部であるパルスノイズ除去部３０ａの動作について説明する。図６は、第２の実施例のパルスノイズ除去部３０ａの動作を表すフローチャートである。図６において、図２と同一の符号のステップは、同一の処理を行う。図７は、図６のフローチャートにおいてノイズの判定とノイズ除去方式の組み合わせの例を示す図であり、フォーマットは図３と同じである。
【００４９】
ステップＳ１０５のＹＥＳに続くステップＳ２０１、ステップＳ１０３のＹＥＳに続くＳ２０４において、パルスノイズ除去部３０ａは、ノイズゲート３４で拡張したノイズ除去区間において前値保持する手法（前値補間）を選択し、さらにノイズゲート３５で高域抑圧処理を行う手法を選択して処理を終了する。
【００５０】
ステップＳ１０７のＹＥＳに続くステップＳ２０２、ステップＳ１１０のＹＥＳに続くＳ２０５において、パルスノイズ除去部３０ａは、ノイズゲート３３でノイズ除去区間を２倍に拡張した直線補間する手法を選択し、さらにノイズゲート３５で高域抑圧処理を行う手法を選択して処理を終了する。
【００５１】
ステップＳ１０７のＮＯに続くステップＳ２０３、ステップＳ１１０のＮＯに続くＳ２０６において、希望局の信号レベルに対して隣接局の信号レベルが小さいことになり、パルスノイズ除去部３０ａは、ノイズ除去手法としてノイズゲート３３で直線補間する手法を選択して処理を終了する。
【００５２】
以上のようなＦＭ受信機によれば、ノイズが大きくなる条件においてノイズゲート３３、３４のいずれかとノイズゲート３５との二種類のノイズ除去手法を直列に適用することで、パルス性ノイズの除去性能をより高めることができる。
【００５３】
なお、以上の各実施例ではＦＭ受信機に関して説明したが、ＡＭ受信機でも同様なパルスノイズ除去部を備える構成とすることができる。
【００５４】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５５】
１１  ＩＦ Ｆｉｌｔｅｒ（中間周波数フィルタ）
１２  ＭＰＣ（マルチパスキャンセラ）
１４  スイッチ
１５  ＦＭＤＥＴ（検波器）
１６  ＶＡＲ（検波直前包絡線分散検出部）
１７  ＡＤＪ／ＡＬＴ（隣接局検出部）
１８  Ｓ-ｍｅｔｅｒ（シグナルメータ、電界強度検出部）
１９  適応等価器（Ｃｏｎｔｒｏｌ Ｓｅｑｕｅｎｃｅｒ）
２０  ＤＩＰ（ＩＦ信号凹み検出部）
２１  １９Ｋ  ＡＭ  Ｍｏｄ（包絡線うねり検出部）
２２  Ｎｏｉｓｅ  Ｇａｔｅ（ノイズ除去部）
２３  Ｓｔｅｒｅｏ（ステレオデコーダ）
２４  ＵＳＮ（超音波成分検出部）
２５  ＤＥＶ（過変調検出部）
２６ａ  ＰＮ（パルスノイズ検出部）
３０、３０ａ  パルスノイズ除去部
３１  ノイズ除去手法選択部
３２  ノイズ除去結果切り替え部
３３〜３５  ノイズゲート
３６  ブレンド処理信号作成部
３７  高域抑圧処理部
３８  ブレンド処理部
１２１  ＡＧＣ（Ａｕｔｏｍａｔｉｃ  Ｇａｉｎ  Ｃｏｎｔｒｏｌｌｅｒ）
１２２  適応等価器
１５１  Ｈｉｌｂｅｒｔ変換部
１５２  ＡｒｃＴａｎ演算部
【図１】
2012191337.tif 000003
【図２】
2012191337.tif 000004
【図３】
2012191337.tif 000005
【図４】
2012191337.tif 000006
【図５】
2012191337.tif 000007
【図６】
2012191337.tif 000008
【図７】
2012191337.tif 000009
【図８】
2012191337.tif 000010
【図９】
2012191337.tif 000011
【図１０】
2012191337.tif 000012